(57)【要約】【課題】外観を損なうことなく防犯性を向上させた木製サッシュを提供する。【解決手段】木製サッシュ１は、外枠Ｆに取り付けられているものであり、枠体２と、窓ガラス３と押縁４と水切り５とアングル６とを備える。アングル６は取付部６１が防犯ビス６４によって枠体２に固定され、保護部６２が窓ガラス３の外縁と枠体２の内周面との隙間を覆っている。押縁４は、木目４４が窓ガラス３と略平行となるように形成される。押縁４は、接着面４４によって枠体２の内周面に接着されている。水切り５は本体５１と台座部５２とから形成される。侵入者が押縁４や水切り５を取り外した場合であっても、窓ガラス３の外縁と枠体２の内周面との隙間はアングル６の保護部６２により保護されているので、枠体２から窓ガラス３を取り外すことができないため、防犯性が向上する。また、外観上は通常の木製サッシュと変わりないため、外観を損なうことがない。【選択図】  図２
0003123751.tif 000002
【実用新案登録請求の範囲】
【請求項１】
室内と室外とを隔てる壁面に設けられ、窓ガラスの周囲を囲むと共に窓ガラスの室内側の四方の縁部を係止する係止部が一体に形成された枠体と、前記窓ガラスの室外側の上縁部及び左右縁部を保持する押縁と、前記窓ガラスの室外側の下縁部に装着された水切りとを備える窓用の木製サッシュであって、
前記窓ガラスの縁部の少なくとも二方に位置する箇所に、前記枠体の内周面と前記窓ガラスの外縁との隙間を覆い前記枠体の内周面に防犯ビスにより固定され、前記押縁又は前記水切りによって覆われて外部から不可視となっている金属製のアングルを備えていることを特徴とする木製サッシュ。
【請求項２】
前記アングルが前記水切りにより覆われるものであり、
前記水切りが前記枠体の内周面に固定される台座部と前記台座部に係止される本体とからなり、
前記防犯ビスが前記台座部により覆われて外部から不可視となっていることを特徴とする請求項１に記載の木製サッシュ。
【請求項３】
前記アングルを覆う押縁は、前記枠体の内周面に接着される接着面を有し、前記接着面は、押縁自身の破断強度以上の接着力を有する接着剤で前記枠体の内周面に接着され、前記押縁を外部から破断させようとしたときに少なくとも前記アングルを覆う部分の一部が前記枠体に残存するように形成されていることを特徴とする請求項１に記載の木製サッシュ。
【請求項４】
前記押縁の木目が前記窓ガラスの面に対して平行となるように固定されていることを特徴とする請求項３に記載の木製サッシュ。
【請求項５】
前記押縁の木目が、前記押縁の接着面の最外縁から前記窓ガラスの外縁よりも内方に向けて傾斜するように形成されていることを特徴とする請求項３に記載の木製サッシュ。
【考案の詳細な説明】
【技術分野】
【０００１】
本考案は、主に木製住宅に用いられる木製サッシュに関する。
【背景技術】
【０００２】
木製サッシュの中には、窓ガラスを枠体に保持固定する部材である押縁を室外側に設ける外押縁構造を採用しているものがある。このような外押縁構造を採用することにより、雨水の処理がしやすくなり、気密性が向上し、外部からの風圧等にも強いので安全性が向上する等の利点がある。
【０００３】
従来の外押縁構造の木製サッシュは、木製の枠体の内周面から内方へ突出する係止部が室内側に設けられており、この係止部にガラスの外周縁近傍を係止させ、室外側から窓ガラスの外周縁近傍を保持する押縁を枠体に固定することにより、枠体に窓ガラスを装着していた（例えば、下記非特許文献１参照。）。
【０００４】
一方、住宅用サッシュの分野においては、日々防犯性を高める努力がなされている。例えば、下記特許文献１では、外枠内を上下に移動可能な窓枠を備えた上げ下げ窓用のサッシュにおいて、窓枠の下端部と外枠との境界部分を覆う金属製の板状の防犯用部材を設け、当該境界部分にバール等の道具を差し込みにくいようにして防犯性の向上を図っている。
【０００５】
このような防犯性の向上は、木製サッシュにおいても同様に重要課題であり、特許文献１のようにバール等でこじ開けられそうな箇所に前記防犯用部材のような部材を設置することも考えられる。
【０００６】
ところが、前記防犯用部材は、アルミサッシュのような金属製サッシュにおいては、前記防犯用部材と他の窓枠等との質感を統一することにより、外観上違和感ないものとすることができるが、木製サッシュにおいては、上述のような金属製の板状の防犯用部材を装着すると他の木製の窓枠とは質感が大きく異なるため、外観上好ましくないという不都合がある。
【非特許文献１】木製サッシハンドブック規格編集委員会編集、「木製サッシハンドブック」木構造振興株式会社企画、平成７年３月２７日刊行、Ｐ７９
【特許文献１】特開２００５−４２３７０号公報
【考案の開示】
【考案が解決しようとする課題】
【０００７】
本考案は、木製サッシュの外押縁構造の改良を目的とし、さらに詳しくは、前記不都合を解消するために、外観を損なうことなく防犯性を向上させた木製サッシュを提供することを目的とする。
【課題を解決するための手段】
【０００８】
前記目的を達成するために、本考案の木製サッシュは、室内と室外とを隔てる壁面に設けられ、窓ガラスの周囲を囲むと共に窓ガラスの室内側の四方の縁部を係止する係止部が一体に形成された枠体と、前記窓ガラスの室外側の上縁部及び左右縁部を保持する押縁と、前記窓ガラスの室外側の下縁部に装着された水切りとを備える窓用の木製サッシュであって、前記窓ガラスの縁部の少なくとも二方に位置する箇所に、前記枠体の内周面と前記窓ガラスの外縁との隙間を覆い前記枠体の内周面に防犯ビスにより固定され、前記押縁又は前記水切りによって覆われて外部から不可視となっている金属製のアングルを備えていることを特徴とする。
【０００９】
本考案の木製サッシュによれば、前記窓ガラスの縁部の少なくとも二方に位置する箇所に前記アングルが設けられているため、窓から侵入を試みる者（以下「侵入者」という。）が前記枠体から前記窓ガラスを取り外そうとして前記押縁又は前記水切りを取り外した場合であっても、前記窓ガラスの外縁と前記枠体の内周面との隙間は前記アングルにより覆われている。また、前記アングルは前記防犯ビスにより固定されている。ここで、防犯ビスとは、締め込む方向に回転させることができるが緩める方向には回転させることができないビス、或いは特殊な工具を用いなければ回転させることができないビスを言う。従って、侵入者は前記アングルを前記枠体から取り外すことができず、前記窓ガラスを前記枠体から取り外すことができないので、防犯性が向上する。一方、侵入者がバール等の道具を用いて前記アングルを前記防犯ビスごと取り外そうとする場合もあるが、このような作業は時間がかかる。侵入者は、侵入作業にある程度時間を要すると侵入をあきらめる傾向にあるため、前記アングルが現れた時点で侵入をあきらめることも期待できる。
【００１０】
また、前記アングルは、前記押縁又は前記水切りによって覆われて外部から不可視となっているので、外観上は従来の木製サッシュと同様である。従って、本考案の木製サッシュによれば、外観を損なうことなく防犯性を向上させることができる。また、侵入者は、外観からでは防犯性の高いものと通常のものとの識別ができないため、通常の木製サッシュに対しても防犯処置がなされているおそれがあるとして侵入をあきらめることが予想される。このように、本考案の木製サッシュによれば、直接的な防犯性の向上のみならず、通常の木製サッシュへの防犯性向上の波及効果も期待できる。
【００１１】
また、本考案の木製サッシュにおいて、前記アングルが前記水切りにより覆われるものであり、前記水切りが前記枠体の内周面に固定される台座部と前記台座部に係止される本体とからなるときは、前記防犯ビスが前記台座部により覆われて外部から不可視となっていることが好ましい。
【００１２】
当該構成によれば、侵入者が前記枠体から前記窓ガラスを取り外そうとして前記水切りを取り外した場合であっても、まず前記本体のみが取り外され、前記台座部は前記枠体に残存する。また、前記台座部により前記防犯ビスが不可視となっているので、使用者は前記台座部を取り外しても前記アングルが取り外せないという事実を認識できない。従って、多くの場合、侵入者は前記台座部を枠体から取り外そうとすることが予想される。ところが、侵入者が前記台座部を前記枠体から取り外した場合であっても、前記窓ガラスの外縁と前記枠体の内周面との隙間は前記アングルにより覆われている。また、前記アングルは前記防犯ビスにより固定されている。このため、侵入者は、この時点で前記アングルを取り外すことができないことを認識する。この時点では、既に水切りを取り外す作業に時間を費やしているため、侵入者はその後の侵入をあきらめることが予想される。また、実際に前記アングルを前記枠体から取り外すことは困難であるため、防犯性が向上する。
【００１３】
また、本考案の木製サッシュにおいて、前記アングルを覆う押縁は、前記枠体の内周面に接着される接着面を有し、前記接着面は、押縁自身の破断強度以上の接着力を有する接着剤で前記枠体の内周面に接着され、前記押縁を外部から破断させようとしたときに少なくとも前記アングルを覆う部分の一部が前記枠体に残存するように形成されていることが好ましい。
【００１４】
当該構成によれば、侵入者が前記枠体から前記窓ガラスを取り外そうとして前記押縁を取り外した場合であっても、前記接着面が押縁自身の破断強度以上の接着力を有する接着剤で前記枠体の内周面に接着されているので、前記押縁の一部が前記枠体に残存する。従って、侵入者はこの残存した押縁の一部を取り除く必要がある。また、侵入者が残存した押縁の一部を取り除いた場合であっても、前記防犯ビスにより固定されたアングルが前記枠体の内周面と前記窓ガラスの外縁との隙間を覆っている。従って、前記窓ガラスを前記枠体から取り外すことができないので、防犯性が向上する。
【００１５】
また、本考案の木製サッシュにおいては、前記押縁の木目が前記窓ガラスの面に対して平行となるように固定されていることが好ましい。押縁をバール等の道具を用いて外部から取り外そうとした場合、木目に沿って破断する場合が多い。従って、前記押縁の木目を上述のような構成とすることにより、前記押縁を外部から破断させようとしたときには、前記窓ガラスの面と平行の木目に沿って破断する。従って、破断面が前記窓ガラスの外縁まで達しないため、前記窓ガラスの外縁が押縁により覆われる。これにより、前記窓ガラスを枠体から取り外すことが困難となるので、防犯性が向上する。
【００１６】
また、本考案の木製サッシュにおいては、  前記押縁の木目が、前記押縁の接着面の最外縁から前記窓ガラスの外縁よりも内方に向けて傾斜するように形成されていてもよい。このように前記押縁の木目を形成することにより、前記押縁を外部から破断させようとしたときには、前記木目に沿って破断され、破断面が前記窓ガラスの外縁よりも内方に到達する。従って、前記窓ガラスを枠体から取り外すことが困難となるので、防犯性が向上する。
【考案を実施するための最良の形態】
【００１７】
次に、本考案の木製サッシュの実施形態の一例について、図１乃至図６を参照して説明する。図１は本実施形態の木製サッシュが壁面に取り付けられている状態を示す説明図、図２は図１のＩＩ−ＩＩ線断面図、図３は図１のＩＩＩ−ＩＩＩ線断面図、図４は本実施形態の木製サッシュにおいてバールにより押縁が破断される状態を示す説明図、図５は本実施形態の木製サッシュにおいて水切りが取り外される状態を示す説明図、図６は本考案の変形例である木製サッシュにおいてバールにより押縁が取り外される状態を示す説明図である。
【００１８】
本実施形態の木製サッシュ１は、図１に示すように、木製住宅の壁Ｗに設けられた外枠Ｆに取り付けられているものであり、枠体２と、窓ガラス３と、押縁４と、水切り５とを備えている。枠体２は、上枠体２１と、下枠体２２と、一対の縦枠体２３とを備えている。また、押縁４は、上押縁４１と、一対の縦押縁４２とを備えている。本実施形態では、枠体２と押縁４は木材で構成されており、水切り５はアルミ合金で構成されている。また、本実施形態では、上押縁４１及び縦押縁４２の内部と、水切り５の内部にステンレススチール製のアングル６が設けられている。
【００１９】
枠体２は、図２（ａ）に示すように、その室内側の内周面に内方に突出する係止部２４が設けられている。この係止部２４は、枠体２と一体に形成されている。また、この係止部２４は、上下枠体２１，２２と一対の縦枠体２３の総てに設けられている。
【００２０】
本実施形態における窓ガラス３は、３枚のガラス板３１の間にスペーサ３２を挟持して組み合わせた三層ガラスとなっており、その内部には乾燥空気が充填されている。また、窓ガラス３と枠体２の係止部２４との間には気密材３３が挟持されており、室内外の気密性の向上が図られている。また、窓ガラス３の外縁と枠体２の内周面との間には窓ガラス３を支持する支持パッド３４が設けられている。また、本実施形態においては、窓ガラス３の室外側の外縁がアングル６により覆われている。
【００２１】
アングル６は、図２（ａ）に示すように、側面視でＬ字状に形成された部材であり、枠体２の内周面に当接する取付部６１と、窓ガラス３の外縁と枠体２（縦枠体２３）の内周面との隙間を覆い窓ガラス３の外縁から内方に延設される保護部６２とを有している。また、アングル６は、取付部６１に設けられた貫通孔６３に防犯ビス６４がねじ込まれ、枠体２の内周面に取り付けられている。この防犯ビス６４は、公知の部材と同様のものであり、締め付ける方向にはドライバー等を係止する部分があるため回転させることができるが、緩める方向にはドライバー等を係止する部分がなく、一度締め付けると緩めることができないものである。また、アングル６は、図３に示すように、水切り５が設けられている箇所にも装着されている。
【００２２】
押縁４（縦押縁４２）は、図２（ａ）に示すように、窓ガラス３に当接して窓ガラス３を保持する保持部４３と、縦枠体２３に接着される接着面４４とを備えている。この縦押縁４２は、アングル６が外部から見えないようにその表面を覆っている。また、縦押縁４２は、窓ガラス３に当接する面から室外側に向けて傾斜しており、断面視で台形状に形成されている。また、縦押縁４２の木目４６は、図２（ａ）に示すように、窓ガラス３の表面と略平行になっている。また、縦押縁４２は、縦枠体２３に接着剤で接着されている。本実施形態では、接着剤としてＣａｓｃｏ社の１３３４６及び３３３６という接着剤を混合して用いている。この接着剤は、押縁４の平均的な破断強度に比べて充分高い強度を有している。また、縦押縁４２には、図２（ａ）に示すように釘４５が打ち込まれており、アングル６に設けられた貫通孔（図示省略）を介して縦押縁４２を縦枠体２３に固定している。
【００２３】
水切り５は、図３に示すように、本体５１と台座部５２とから形成され、本体５１に設けられた係止爪５３と、台座部５２に設けられた係止爪５４とが互いに係合することにより、本体５１と台座部５２とが係止される。台座部５２には複数箇所に貫通孔（図示省略）が設けられ、この貫通孔を介して複数の通常のビス５５で枠体２（下枠体２２）に固定されている。この水切り５の本体５１は、台座部５２に装着されると、アングル６が外部から見えないようにアングル６の全体を覆うように形成されている。また、台座部５２のみが下枠体２２に装着されている場合は、アングル６を固定する防犯ビス６４が外部から見えないようになっている。
【００２４】
本実施形態の木製サッシュ１は、下枠体２２にハンドル２５が設けられており、左右一対の縦枠体２３と外枠Ｆとの間に設けられたリンク機構（図示省略）によって室外側に回動して窓が開く構成となっている。また、外枠Ｆの突出部Ｆａと枠体２との間には第２の気密材２６が設けられており、外枠Ｆと枠体２との気密性を確保している。なお、ハンドル２５やリンク機構の構成は従来のものと同様であるので、詳細な説明は省略する。
【００２５】
次に、本実施形態の木製サッシュ１の押縁４がバールＢによってこじ開けられようとしたときの作用について図４を参照して説明する。侵入者が室内に侵入を試みようとするときは、窓ガラス３が三層ガラスであるため、窓ガラス３を割って室内に侵入することは困難であると考え、窓ガラス３を割るのではなく、押縁４を取り去り、窓ガラス３を枠体２から取り外そうと考えることが予想される。このような場合、例えば、図４（ａ）に示すように、押縁４（縦押縁４２）と枠体２（縦枠体２３）との境界部分にバールＢの先端を押し当て、当該バールＢにより縦押縁４２を取り外そうとすると、バールＢの力は縦押縁４２を縦枠体２３から引き離す方向に作用する。
【００２６】
ここで、本実施形態の木製サッシュ１では、縦押縁４２は自身の破断強度よりも強い接着力を有する接着剤により縦枠体２３に固定されており、縦押縁４２の木目４６の方向は図４（ａ）に示すように、窓ガラス３の表面と略平行となっている。従って、バールＢによって縦押縁４２が破断する場合は、図４（ｂ）に示すように、この木目４６に沿って窓ガラス３と略平行に破断する。このように、本実施形態の木製サッシュ１によれば、侵入者がバールＢ等を使用して縦押縁４２を縦枠体２３から取り外そうとした場合であっても、縦押縁４２の保持部４３は縦枠体２３に残存するため、窓ガラス３の外縁が露出しない。
【００２７】
また、侵入者がさらに作業を続けて縦押縁４２を取り外した場合であっても、アングル６が露出するのみである。このアングル６の保護部６２は、窓ガラス３の外縁と縦枠体２３の内周面との隙間を覆っているため、窓ガラス３の外縁が露出しない。さらに、アングル６は、防犯ビス６４によって縦枠体２３に固定されている。従って、窓ガラス３を縦枠体２３から取り外すことができない。ところで、侵入者は、侵入作業にある程度時間を要すると侵入をあきらめる傾向にあるため、窓ガラス３を取り外すことができないような状態となれば侵入をあきらめることが予想される。
【００２８】
次に、本実施形態の木製サッシュ１の水切り５が取り外されようとした際の作用について、図５を参照して説明する。侵入者がバールＢ等の道具を用いて水切り５を取り外そうとしたときは、図５（ａ）に示すように、まず本体５１が台座部５２から外れる。このとき、侵入者は台座部５２が通常のビス５５により固定されていることを認識できるが、アングル６を固定している防犯ビス６４は台座部５２により覆われて外部から見ることができない。従って、侵入者はさらに台座部５２のビスを取り外そうとすることが予想される。
【００２９】
次に、図５（ｂ）に示すように、侵入者が台座部５２のビスを取り外して台座部５２を取り外すと、アングル６が露出する。このアングル６の保護部６２は、窓ガラス３の外縁と下枠体２２の内周面との隙間を覆っているため、窓ガラス３の外縁が露出しない。さらに、侵入者は、アングル６が防犯ビス６４によって枠体２に固定されていることを認識できる状態となる。侵入者としては、水切り５を取り外すのに既に時間を消費しているため、さらにアングル６が防犯ビス６４により固定されることを認識したときは、その時点で侵入をあきらめることが予想される。このように、本実施形態の木製サッシュ１では、窓ガラス３を下枠体２２から取り外すことができないため、防犯性が向上する。また、台座部５２も防犯ビス６４によって固定した場合は、さらに防犯性が向上する。
【００３０】
なお、押縁４の木目４６は、上述のように窓ガラス３の表面と略平行でなくてもよく、図２（ｂ）に示すように、押縁４の接着面４４の最外縁から窓ガラス３の外縁よりも内方に向けて傾斜するように形成されていてもよい。この場合もバールＢにより押縁４が取り外されようとすると、当該木目に沿って押縁４が破断されるので、残存する押縁４により窓ガラス３の外縁が露出することがない。また、このような状態ではアングル６も押縁４により覆われているので、侵入者は押縁４の下にアングル６があることを認識することができない。従って、侵入者が押縁４を取り外すことができた場合であっても、その下からアングル６が現れるので、窓ガラス３を縦枠体２３から取り外すことができない。
【００３１】
また、本考案の変形例として、図６に示すように、押縁４を接着剤で接着することなく、釘４５のみで枠体２に固定してもよい。このように、押縁４が釘４５のみで枠体２に固定されている場合は、図６（ａ）に示すように、侵入者がバールＢによって押縁４を取り外そうとした場合、押縁４を釘４５ごと取り外すことも可能となる。しかしながら、押縁４を取り外すと、図６（ｂ）に示すようにその下からアングル６が現れる。このアングル６は防犯ビス６４により固定されているため、窓ガラス３を縦枠体２３から取り外すことができない。
【００３２】
以上のように、本考案の木製サッシュ１は、侵入者がバールＢ等によって押縁４や水切り５を枠体２から取り外そうとしても、アングル６の保護部６２によって窓ガラス３の外縁と枠体２の内周面との隙間が覆われているため、窓ガラス３を枠体２から取り外すことが困難となり、防犯性が向上する。特に、窓ガラス３が上記実施形態のように三層ガラス、或いはその他の多層ガラスの場合、窓ガラスを破壊して窓から侵入することが困難であるため、本考案は、このような多層ガラスを用いた窓ガラスを有する木製サッシュに好適である。
【００３３】
なお、上記実施形態においては、窓ガラス３の四方の外縁について総てアングル６を取り付けているが、これに限らず、少なくとも二方に取り付けられていればよい。このように少なくとの二方にアングル６が設けられていれば、窓ガラス４を枠体２から取り外すことができないので、防犯性が向上する。また、上記実施形態においては、回動式の木製サッシュ１を例にして説明したが、これに限らず、引き戸式窓用のサッシュや、固定式窓用のサッシュ等、他の形式のサッシュに用いてもよい。
【図面の簡単な説明】
【００３４】
【図１】本実施形態の木製サッシュが壁面に取り付けられている状態を示す説明図。
【図２】図１のＩＩ−ＩＩ線断面図。
【図３】図１のＩＩＩ−ＩＩＩ線断面図。
【図４】本実施形態の木製サッシュにおいてバールにより押縁が破断される状態を示す説明図。
【図５】本実施形態の木製サッシュにおいて水切りが取り外される状態を示す説明図。
【図６】本考案の変形例である木製サッシュにおいてバールにより押縁が取り外される状態を示す説明図。
【符号の説明】
【００３５】
１…木製サッシュ、２…枠体、３…窓ガラス、４…押縁、５…水切り、６…アングル。
【図１】
0003123751.tif 000003
【図２】
0003123751.tif 000004
【図３】
0003123751.tif 000005
【図４】
0003123751.tif 000006
【図５】
0003123751.tif 000007
【図６】
0003123751.tif 000008